(57)【要約】【課題】簡易で、優れた実用性及び構造上の安定性を具した締結工具の構造を提供する。【解決手段】主に工具本体１０を含む。スパナ部上のあご部１２に第一あご部２０、及びあご部１２の二分の一以上の長さの第二あご部３０を形成し、第二あご部３０には第一あご部２０に対して２０度から３０度の角度をつける。第二あご部３０に傾斜あご部３０′を形成する。工具本体１０とスパナ部１１’の接続部分においてフレックスジョイント構造４０を採用する。眼鏡レンチ部５０の嵌入部５３上に平面部５２及び斜角部５１を形成する。【選択図】　図５
0003098094.tif 000002
【実用新案登録請求の範囲】
【請求項１】
主に工具本体を含み、
該工具本体には少なくとも一つのスパナ部を設け、
該スパナ部上には両外側に開いたあご部を形成し、該あご部間には挟入空間を形成し、その空間によりナットを挟み込み、
該あご部には第一あご部及び第二あご部を形成し、第一あご部は本体と平行であり、第二あご部は第一あご部に対して角度を形成しており、
使用時における操作空間が狭いことなどによる制約を減少させ、締め付け構造の安定性が図れるようにしたことを特徴とする締結工具の構造。
【請求項２】
使用時における操作空間が狭いことなどによる制約を更に減少させるため、第二あご部は傾斜あご部を形成しており、第一あご部に対して更に大きな角度を呈していることを特徴とする請求項１記載の締結工具の構造。
【請求項３】
第二あご部の長さはあご部の二分の一以上であることを特徴とする締結工具の構造。
【請求項４】
主に工具本体を含み、
該工具の少なくとも一端は眼鏡レンチ部を形成し、該眼鏡レンチ嵌入部上には平面部と斜面部を形成したことを特徴とする締結工具の構造。
【考案の詳細な説明】
【０００１】
【考案の属する技術分野】
本考案は一種の締結工具の構造に係り、特にスパナ部上に第一あご部及び第二あご部を設け、第二あご部に第一あご部に対して角度を設けることにより、操作空間が狭いことによる制約に対して、操作性を向上した締結工具の構造に関わる。
【０００２】
【従来の技術】
従来の締結工具（本考案ではスパナを実施例として説明する）はすべて、スパナのあご部を利用しナット等を挟み込み、その後スパナ本体を引くことでその目的を達成している。
本考案の出願人もスパナによるナット等の挟入をさらに有効にするため、数件のあご部の構造改良を考案している。
【０００３】
更に本出願人は空間制限のある場合での作業を容易にするため、工具本体とスパナ部の接続部分がフレックスジョイント構造を呈したスパナも考案している。
【０００４】
【考案が解決しようとする課題】
しかし該構造は、トルクが大きいナットに使用する場合、ジョイント部分一点に負荷が集中するためジョイントが容易に破損したり、回転させて使用する場合、柄が短くなることがあるため過大な負荷をかけてしまいジョイント部分が容易に破損することがある。
そこで、本考案は上記欠点を解決すべく、簡易で、優れた実用性及び構造上の安定性を具した締結工具の構造を提供する。
【０００５】
【考案実施の形態】
図１，２に示すように本考案の締結工具の構造改良は主に工具本体１０を含み、
該工具本体１０の一端には少なくとも一つのスパナ部１１を設け、該スパナ部１１上には両外側に開いたあご部１２を形成し、該あご部１２間には挟入空間１３を形成し、その挟入空間１３によりナット１４を挟み込む。
【０００６】
該工具本体１０のもう一端には眼鏡レンチ部５０を設け、該眼鏡レンチ部５０上には嵌入部５３を形成し、ナット１４を回転させる。
【０００７】
あご部１２には第一あご部２０及び第二あご部３０を形成し、第一あご部２０は工具本体１０と平行であり、第二あご部３０は第一あご部２０に対して角度を形成しており、最も有効な角度は約１０度から２０度である。
更に第二あご部３０において、最も優れた挟入効果を得るため、第二あご部３０の長さｄはあご部１２の二分の一以上にする。
図４，５に示すように、障害物３１がある場合において、第二あご部３０を利用することで障害物３１が避けられ、先ず第二あご部３０をナット１４にはめ込み、それを緩め、ある程度の高さまで回し出した後、次に図６に示すように、第一あご部２０により平行にナット１４を挟み込み回転させることで容易にナット１４を回し出すことができる。
【０００８】
第二実施例として図７，８に示すように、工具本体１０の使用時における空間制限による限界性を更に減少させるために第二あご部３０には傾斜あご部３０′を形成し、該傾斜あご部３０′は第一あご部２０に対して更に大きな角度を呈する構造になっており、この構造は同時に材料コスト節約にもつながっている。
図９，１０に示すように更に高い障害物３１′がある場合においても、傾斜部３０′を利用することで更に高い障害物３１′が避けられ、先ず傾斜部３０′をナット１４にはめ込み、それを緩め、ある程度の高さまで回し出した後、次に図１１に示すように、第一あご部２０により平行にナット１４を挟み込み回転させることで容易にナット１４を回し出すことができる。
【０００９】
第三実施例として図１２，１３に示すように、工具本体１０とスパナ部１１’の接続部分においてフレックスジョイント構造４０を採用することも可能で、それにより図１４に示すように、更に高い障害物３１′を避けることができる。
【００１０】
第四実施例として図１５，１６，１７に示すように、該工具本体１０の一端に設けてある眼鏡レンチ部５０の嵌入部５３上に平面部５２及び斜角部５１を形成し、仮に障害物３１により平面部５２によるナット１４への嵌入が不可能な場合、斜角部５１を利用することで、ナット１４を回転させることができる。
【考案の効果】
本考案によると、第二あご部の設計により、挟入効果が明らかに増し、より実用的になり、更に、本考案とフレックスジョイント構造を併用することにより公知構造では障害物などのため操作不可能であったものを改善できるようになった。
【図面の簡単な説明】
【図１】本考案における締結工具の外観図である。
【図２】本考案における締結工具の使用状態を示した図である。
【図３】本考案における締結工具の拡大図である。
【図４】本考案における第二あご部によるナットの挟入直前を示した図である。
【図５】本考案における第二あご部によるナットの挟入状態を示した図である
【図６】本考案における第一あご部によるナットの取り外しの様子、及び回転を示した図である。
【図７】本考案の第二実施例における締結工具の外観図である。
【図８】本考案の第二実施例における締結工具の拡大図である。
【図９】本考案の第二実施例における傾斜あご部によるナットの挟入直前を示した図である。
【図１０】本考案の第二実施例における傾斜あご部によるナットの挟入状態を示した図である。
【図１１】本考案の第二実施例における第一あご部によるナットの取り外しの様子、及び回転を示した図である。
【図１２】本考案の第三実施例における締結工具の分解構造図である。
【図１３】本考案の第三実施例における締結工具の外観図である。
【図１４】本考案の第三実施例における使用状態を示した図である。
【図１５】本考案の第四実施例における拡大構造図である。
【図１６】本考案の第四実施例における締結工具の側面図である。
【図１７】本考案の第四実施例における締結工具の外観図である。
【符号の説明】
１０　　工具本体
１１　　スパナ部
１１′　スパナ部
１２　　あご部
１３　　挟入空間
１４　　ナット
２０　　第一あご部
３０　　第二あご部
３０′　傾斜あご部
３１　　障害物
３１′　障害物
４０　　フレックスジョイント構造
５０　　眼鏡レンチ部
５１　　斜角部
５２　　平面部
５３　　嵌入部
Ａ　　　　　　傾斜あご部角度
ａ　　　　　　第二あご部角度
Ｄ　　　　　　あご部長さ
ｄ　　　第二あご部長さ
【図１】
0003098094.tif 000003
【図２】
0003098094.tif 000004
【図３】
0003098094.tif 000005
【図４】
0003098094.tif 000006
【図５】
0003098094.tif 000007
【図６】
0003098094.tif 000008
【図７】
0003098094.tif 000009
【図８】
0003098094.tif 000010
【図９】
0003098094.tif 000011
【図１０】
0003098094.tif 000012
【図１１】
0003098094.tif 000013
【図１２】
0003098094.tif 000014
【図１３】
0003098094.tif 000015
【図１４】
0003098094.tif 000016
【図１５】
0003098094.tif 000017
【図１６】
0003098094.tif 000018
【図１７】
0003098094.tif 000019